【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
静電潜像を担持するための第一の像担持体と、
前記第一の像担持体の前記静電潜像をトナーによりトナー像に現像するための第一の現像装置と、
前記第一の像担持体の上のトナーをクリーニングブレードによりクリーニングする第一のクリーニング装置と、
静電潜像を担持するための第二の像担持体と、
前記第二の像担持体の前記静電潜像をトナーによりトナー像に現像するための第二の現像装置と、
前記第二の像担持体の上のトナーをクリーニングブレードによりクリーニングする第二のクリーニング装置と、
前記第一の像担持体と前記第二の像担持体と接触可能に設けられて回転をする回転体と、を有し、
前記回転体は、前記像担持体に形成されたトナー像を転写され、前記回転体に転写されたトナー像をシート材に転写するための中間転写体であるか、又は前記像担持体に形成されたトナー像が転写されるシート材を搬送するための搬送体であり、
前記シート材に対する画像形成のためのトナー像の形成を行わない時に、前記第一の像担持体と前記第一のクリーニング装置のクリーニングブレードとの間にトナーを供給するトナー供給プロセスの制御をおこなう制御装置とを備え、
前記制御装置は、前記第一の現像装置又は前記第二の現像装置に収容されたトナー量に応じて、前記第一の現像装置に収容されたトナーを用いたトナー供給プロセスを実行するか、前記第二の現像装置に収容されたトナーを用いたトナー供給プロセスを実行するかを選択することを特徴とする画像形成装置。
【請求項２】
前記第二の現像装置に収容されたトナーを用いたトナー供給プロセスでは、前記第二の現像装置から前記第二の像担持体にトナーを供給し、前記第二の像担持体に供給されたトナーを前記回転体を介して前記第一の像担持体に供給することを特徴とする請求項１に記載の画像形成装置。
【請求項３】
前記第一の現像装置に収容されたトナー量が所定値よりも多かった場合は、前記第一の現像装置に収容されたトナーを用いてトナー供給プロセスを実行し、
前記第一の現像装置に収容されたトナー量が前記所定値以下の場合は、前記第二の現像装置に収容されたトナーを用いてトナー供給プロセスを実行することを特徴とする請求項１又は２に記載の画像形成装置。
【請求項４】
前記第一の現像装置に収容されたトナー量が前記第二の現像装置に収容されたトナー量よりも多かった場合は、前記第一の現像装置に収容されたトナーを用いてトナー供給プロセスを実行し、
前記第一の現像装置に収容されたトナー量が前記第二の現像装置に収容されたトナー量よりも少なかった場合は、前記第二の現像装置に収容されたトナーを用いてトナー供給プロセスを実行することを特徴とする請求項１又は２に記載の画像形成装置。
【請求項５】
前記第二の現像装置に収容されたトナー量が所定値よりも多かった場合は、前記第二の現像装置に収容されたトナーを用いてトナー供給プロセスを実行し、
前記第二の現像装置に収容されたトナー量が前記所定値以下の場合は、前記第一の現像装置に収容されたトナーを用いてトナー供給プロセスを実行することを特徴とする請求項１又は２に記載の画像形成装置。
【請求項６】
第二の現像装置に収容されたトナーを用いてトナー供給プロセスを実行する時は、前記第二の現像装置から前記第一の像担持体にトナーを供給する時間が一番短くなるような現像装置を第二の現像装置として用いることを特徴とする請求項１乃至５のいずれか１項に記載の画像形成装置。
【請求項７】
前記第一の現像装置に収容されたトナー量が所定値よりも多かった場合は、前記第一の現像装置に収容されたトナーを用いてトナー供給プロセスを実行し、
前記第一の現像装置に収容されたトナー量が前記所定値以下で、且つ前記第二の現像装置に収容されたトナー量が所定値よりも多い場合は、前記第二の現像装置に収容されたトナーを用いてトナー供給プロセスを実行し、
前記第一の現像装置に収容されたトナー量が前記所定値以下で、且つ前記第二の現像装置に収容されたトナー量が所定値以下の場合は、前記第一及び前記第二の現像装置の中で収容されたトナー量が最も多い現像装置を用いてトナー供給プロセスを実行することを特徴とする請求項１又は２に記載の画像形成装置。
【請求項８】
前記第一のクリーニング装置と前記第一の像担持体とが一体に構成されたクリーニングユニット、又は前記第一の現像装置のうちの少なくとも一方が画像形成装置の装置本体に対して着脱可能であることを特徴とする請求項１乃至７のいずれか１項に記載の画像形成装置。
【請求項９】
前記第一の像担持体、前記第一の現像装置、及び前記第一のクリーニング装置が、画像形成装置の装置本体に対して着脱可能なプロセスカートリッジとして一体に構成されていることを特徴とする請求項１乃至７のいずれか１項に記載の画像形成装置。
【請求項１０】
静電潜像を担持するための第一の像担持体と、
前記第一の像担持体の前記静電潜像をトナーによりトナー像に現像するための第一の現像装置と、
前記第一の像担持体の上のトナーをクリーニングブレードによりクリーニングする第一のクリーニング装置と、
静電潜像を担持するための第二の像担持体と、
前記第二の像担持体の前記静電潜像をトナーによりトナー像に現像するための第二の現像装置と、
前記第二の像担持体の上のトナーをクリーニングブレードによりクリーニングする第二
のクリーニング装置と、
前記第一の像担持体と前記第二の像担持体と接触可能に設けられて回転をする回転体と、を有し、
前記回転体は、前記像担持体に形成されたトナー像を転写され、前記回転体に転写されたトナー像をシート材に転写するための中間転写体であるか、又は前記像担持体に形成されたトナー像が転写されるシート材を搬送するための搬送体であり、
前記シート材に対する画像形成のためのトナー像の形成を行わない時に、前記第一の像担持体と前記第一のクリーニング装置のクリーニングブレードとの間にトナーを供給するトナー供給プロセスの制御をおこなう制御装置とを備え、
前記第一の現像装置は画像形成装置の装置本体から着脱可能に設けられており、
前記制御装置は、前記第一の現像装置が装着されている場合は前記第一の現像装置に収容されたトナーを用いたトナー供給プロセスを実行し、前記第一の現像装置が装着されていない場合は前記第二の現像装置に収容されたトナーを用いたトナー供給プロセスを実行することを特徴とする画像形成装置。
【請求項１１】
前記第二の現像装置に収容されたトナーを用いたトナー供給プロセスでは、前記第二の現像装置から前記第二の像担持体にトナーを供給し、前記第二の像担持体に供給されたトナーを前記回転体を介して前記第一の像担持体に供給することを特徴とする請求項１０に記載の画像形成装置。
【請求項１２】
第二の現像装置に収容されたトナーを用いてトナー供給プロセスを実行する時は、前記第二の現像装置から前記第一の像担持体にトナーを供給する時間が一番短くなるような現像装置を第二の現像装置として用いることを特徴とする請求項１０又は１１に記載の画像形成装置。
【請求項１３】
第二の現像装置に収容されたトナーを用いてトナー供給プロセスを実行する時は、前記第二の現像装置の中で収容されたトナー量が最も多い現像装置を用いてトナー供給プロセスを実行することを特徴とする請求項１０又は１１に記載の画像形成装置。
【請求項１４】
第二の現像装置に収容されたトナーを用いてトナー供給プロセスを実行する時は、前記第二の現像装置に収容されたトナー量が所定値よりも多い場合は、前記第二の現像装置のいずれかに収容されたトナーを用いてトナー供給プロセスを実行し、
前記第二の現像装置に収容されたトナー量が所定値以下の場合は、前記第二の現像装置の中で収容されたトナー量が最も多い現像装置を用いてトナー供給プロセスを実行することを特徴とする請求項１０又は１１に記載の画像形成装置。
【請求項１５】
前記クリーニング装置は、画像形成装置の装置本体から着脱可能に設けられており、
前記トナー供給プロセスは、
前記一の像担持体に対して未使用のクリーニング装置が装着された場合に実行されることを特徴とする請求項１０乃至１４のいずれか１項に記載の画像形成装置。
【請求項１６】
前記トナー供給プロセスは、
画像形成装置の使用量に基づいて、前記使用量が予め決められた値に達した時に実行されることを特徴とする請求項１乃至１５のいずれか１項に記載の画像形成装置。